(57)【要約】      （修正有）【課題】光素子と光ファイバとの光結合効率の高い光伝送モジュールを提供する。【解決手段】光伝送モジュール１は、光素子１０と、光素子１０が実装された配線板２０と、光信号を伝送する光ファイバ６０と、光ファイバ６０を保持している保持部材５０と、を具備し、固定部４０と保持部３０とを有する保持部材５０の保持部３０の側面３０ＳＡが配線板２０と第１の接着層２９を介して接着されており、保持部材５０が固定部４０と保持部３０とにより光ファイバ６０を挟持しており、固定部４０と保持部３０とが光ファイバ６０を挟持していない対向面が第２の接着層３９を介して接着されている。【選択図】図１
2016004130.tif 000002
【特許請求の範囲】
【請求項１】
光信号を出力する発光部と前記発光部と電気的に接続された接続端子とを光出射面に有する光素子と、
前記光素子が第１の主面に実装され、前記発光部と対向する位置に孔のある配線板と、
前記光信号を伝送する光ファイバと、
前記配線板の第２の主面と接着剤により接着されており、前記光ファイバの先端面が前記発光部と対向するように保持している保持部材と、を具備し、
固定部と保持部とを有する前記保持部材の前記保持部の側面が前記配線板と第１の接着層を介して接着されており、
前記保持部材が、前記固定部と前記保持部とにより前記光ファイバを挟持しており、前記固定部と前記保持部とが前記光ファイバを挟持していない対向面が第２の接着層を介して接着されていることを特徴とする光伝送モジュール。
【請求項２】
前記保持部に第１の溝部があり
前記固定部に第２の溝部があり、
前記保持部材が、前記第１の溝部と前記第２の溝部とにより前記光ファイバを挟持していることを特徴とする請求項１に記載の光伝送モジュール。
【請求項３】
前記保持部に前記第１の溝部と連通した貫通孔があり、
前記光ファイバが前記貫通孔を挿通していることを特徴とする請求項２に記載の光伝送モジュール。
【請求項４】
前記保持部に第１の溝部があり、
前記固定部に前記保持部の前記第１の溝部に挿入された凸部があり、
前記保持部材が、前記保持部の前記第１の溝部と、前記固定部の前記凸部とにより前記光ファイバを挟持していることを特徴とする請求項１に記載の光伝送モジュール。
【請求項５】
前記保持部に前記第１の溝部と連通した貫通孔があり、
前記光ファイバが前記貫通孔を挿通していることを特徴とする請求項４に記載の光伝送モジュール。
【請求項６】
前記光ファイバが、前記固定部の前記第２の溝部の入口側の外面において接着剤により前記固定部に固定されていることを特徴とする請求項３または請求項５に記載の光伝送モジュール。
【請求項７】
光信号を出力する発光部と前記発光部と電気的に接続された接続端子とを光出射面に有する光素子が、第１の主面に実装され、前記発光部と対向する位置に孔のある配線板が、第１の溝部と前記第１の溝部と連通した第１の貫通孔とがある保持部の側面に第１の接着層を介して接着される工程と、
第３の溝部と前記第３の溝部と連通した第３の貫通孔とがある保持治具の前記第３の貫通孔に、光ファイバが挿通される工程と、
固定部の第２の溝部と前記保持治具の前記第３の溝部とにより前記光ファイバが挟持される工程と、
前記固定部の前記第２の溝部の入口側の外面と、前記光ファイバとが接着剤により接着される工程と、
前記保持治具の前記第３の貫通孔から突出している前記光ファイバの先端部が切断される工程と、
前記光ファイバが接合された前記固定部から、前記保持治具が抜去される工程と、
前記保持治具の替わりに、前記保持部の前記第１の貫通孔に、前記固定部に接着された前記光ファイバが挿入される工程と、
前記固定部と前記保持部とが前記光ファイバを挟持していない対向面が第２の接着層を介して接着される工程と、
を具備することを特徴とする光伝送モジュールの製造方法。
【発明の詳細な説明】
【技術分野】
【０００１】
本発明は、光信号を発生する光素子と、前記光素子が実装された配線板と、前記光信号を伝送する光ファイバと、前記光ファイバを保持する保持部材と、を具備する光伝送モジュール、および、前記光伝送モジュールを有する内視鏡に関する。
【背景技術】
【０００２】
電子内視鏡は、細長い挿入部の先端部にＣＣＤ等の撮像素子を有する。近年、高画素数の撮像素子の内視鏡への使用が検討されている。高画素数の撮像素子を使用した場合には、撮像素子から信号処理装置（プロセッサ）へ伝送する信号量が増加するため、電気信号によるメタル配線を介した電気信号伝送に替えて、光信号による細い光ファイバを介した光信号伝送が好ましい。光信号伝送には、電気信号を光信号に変換する光伝送モジュールが用いられる。
例えば、特開２０１３−０２５０９２号公報には、光信号の入力または出力を行う光素子と、光素子が実装される基板と、光素子から入出力される光信号を伝送する光ファイバ挿入用の貫通孔を有し、光素子の厚さ方向に並べて配置される保持部（フェルール）と、を具備する光伝送モジュールが開示されている。
【０００３】
上記従来の光伝送モジュールでは保持部の貫通孔の径は光ファイバの外径よりもかなり大きく、この公差によって光ファイバは貫通孔内でよじれを生じ、光素子の発光部と光ファイバ端面との間で光軸がずれてしまうおそれがあった。光軸ずれは、光素子と光ファイバとの光結合効率を低下させ、光伝送モジュールの伝送品質が低下の原因となる。
【先行技術文献】
【特許文献】
【０００４】
【特許文献１】特開２０１３−０２５０９２号公報
【発明の概要】
【発明が解決しようとする課題】
【０００５】
本発明の実施形態は、光素子と光ファイバとの光結合効率の高い光伝送モジュールおよび前記光伝送モジュールの製造方法を提供することを目的とする。
【課題を解決するための手段】
【０００６】
本発明の実施形態の光伝送モジュールは、光信号を出力する発光部と前記発光部と電気的に接続された接続端子とを光出射面に有する光素子と、前記光素子が第１の主面に実装され、前記発光部と対向する位置に孔のある配線板と、前記光信号を伝送する光ファイバと、前記配線板の第２の主面と接着されており、前記光ファイバの先端面が前記発光部と対向するように保持している保持部材と、を具備し、固定部と保持部とを有する前記保持部材の前記保持部の側面が前記配線板と第２の接着層を介して接着されており、前記保持部材が、前記固定部と前記保持部とにより前記光ファイバを挟持しており、前記固定部と前記保持部とが前記光ファイバを挟持していない対向面が第１の接着層を介して接着されている。
【０００７】
また別の実施形態の光伝送モジュールの製造方法は、光信号を出力する発光部と前記発光部と電気的に接続された接続端子とを光出射面に有する光素子が第１の主面に実装され、前記発光部と対向する位置に孔のある配線板が、第１の溝部と前記第１の溝部と連通した第１の貫通孔とがある保持部の側面に接着剤により接着される工程と、第３の溝部と前記第３の溝部と連通した第３の貫通孔とがある保持治具の前記第３の貫通孔に、光ファイバが挿通される工程と、固定部の第２の溝部と前記保持治具の前記第３の溝部とにより前記光ファイバが挟持される工程と、前記固定部の前記第２の溝部の入口側の外面と、前記光ファイバとが接着剤により接着される工程と、前記保持治具の前記第３の貫通孔から突出している前記光ファイバの先端部が切断される工程と、前記光ファイバが接合された前記固定部から、前記保持治具が抜去される工程と、前記保持治具の替わりに、前記配線板に接着された前記保持部の前記第１の貫通孔に、前記固定部に接着された前記光ファイバが挿入される工程と、前記固定部と前記保持部とが前記光ファイバを挟持していない対向面が接着層を介して接着される工程と、を具備する。
【発明の効果】
【０００８】
本発明の実施形態によれば、光素子と光ファイバとの光結合効率の高い光伝送モジュールおよび前記光伝送モジュールの製造方法を提供できる。
【図面の簡単な説明】
【０００９】
【図１】第１実施形態の光伝送モジュールの分解図である。
【図２】第１実施形態の光伝送モジュールの斜視図である。
【図３】第１実施形態の光伝送モジュールの図２のＩＩＩ−ＩＩＩ線に沿った部分断面図である。
【図４】第２実施形態の光伝送モジュールの分解図である。
【図５】第３実施形態の光伝送モジュールの分解図である。
【図６】第４実施形態の光伝送モジュールの分解図である。
【図７】第５実施形態の光伝送モジュールの斜視図である。
【図８】第５実施形態の光伝送モジュールの断面図である。
【図９】第５実施形態の光伝送モジュールの製造方法のフローチャートである。
【図１０Ａ】第５実施形態の光伝送モジュールの製造方法を説明するための側面図である。
【図１０Ｂ】第５実施形態の光伝送モジュールの製造方法を説明するための側面図である。
【図１０Ｃ】第５実施形態の光伝送モジュールの製造方法を説明するための側面図である。
【図１０Ｄ】第５実施形態の光伝送モジュールの製造方法を説明するための側面図である。
【図１０Ｅ】第５実施形態の光伝送モジュールの製造方法を説明するための側面図である。
【発明を実施するための形態】
【００１０】
＜第１実施形態＞
図１から図３を用いて、第１実施形態の光伝送モジュール１について説明する。光伝送モジュール１は、電気信号を光信号に変換し光信号を伝送するＥ／Ｏモジュールである。なお、以下の説明において、各実施の形態に基づく図面は、模式的なものであり、各部分の厚みと幅との関係、夫々の部分の厚みの比率などは現実のものとは異なることに留意すべきであり、図面の相互間においても互いの寸法の関係や比率が異なる部分が含まれている場合がある。
【００１１】
＜光伝送モジュール１の構成＞
光伝送モジュール１は、光素子１０と、配線板２０と、保持部材５０と、光ファイバ６０と、を具備する。光伝送モジュール１では、光素子１０と配線板２０と保持部材５０とが、光素子１０の厚さ方向に並べて配置されている。
【００１２】
光素子１０は、光信号の光を出力する発光部１１を有する面発光レーザーである。例えば、平面視寸法が２５０μｍ×３００μｍと超小型の光素子１０は、直径が２０μｍの発光部１１と、発光部１１と電気的に接続された駆動信号を供給するための接続端子１２とを光出射面１０ＳＡに有する。
【００１３】
第１の主面２０ＳＡと第２の主面２０ＳＢとを有する平板状の配線板２０には、光路となる、孔２５Ｈがある。そして、第１の主面２０ＳＡには光素子１０が、その発光部１１が配線板２０の孔２５Ｈと対向する位置に配置された状態で、フリップチップ実装されている。そして、配線板２０は光素子１０の接続端子１２と接合された電極パッド（不図示）を有する。配線板２０の基体には、ＦＰＣ基板、セラミック基板、ガラスエポキシ基板、ガラス基板、シリコン基板等が使用される。
【００１４】
一方、例えば、径が１２５μｍの光ファイバ６０は、光を伝送する径が５０μｍのコア６１と、コア６１の外周を覆うクラッド６２とからなる。光ファイバ６０は、樹脂からなる外皮に覆われていてもよい。
【００１５】
保持部材５０は、配線板２０の第２の主面２０ＳＢと、例えば熱硬化性接着剤からなる第１の接着層２９により接着されており、光ファイバ６０の先端面が発光部１１と対向するように保持している。
【００１６】
光伝送モジュール１では、保持部材５０は、例えば熱硬化性接着剤からなる第２の接着層３９により接着されている固定部４０と保持部３０とを有する。固定部４０および保持部３０の材料はセラミック、Ｓｉ、ガラスまたはＳＵＳ等の金属部材等である。固定部４０の材料と保持部３０の材料とは異なっていてもよい。また第１の接着層２９と第２の接着層３９とは同じ材料であっても良いし、異なっていてもよい。
【００１７】
光ファイバ６０は、固定部４０と保持部３０とにより光ファイバ６０を挟持している。
【００１８】
保持部３０には、第１の溝部３０Ｔと第１の溝部３０Ｔと連通した貫通孔３０Ｈがある。光ファイバ６０は、保持部３０の貫通孔３０Ｈを挿通している。円柱状の貫通孔４０Ｈの内径は、挿入される光ファイバ６０の外径よりも大きい。例えば、光ファイバ６０の外径に対して、貫通孔４０Ｈの内径は、１μｍ〜１０μｍだけ大きく作製されている。
【００１９】
貫通孔４０Ｈは、円柱状のほか、その壁面で光ファイバ６０を保持できれば、角柱状であってもよい。また、第１の溝部３０Ｔの断面形状は貫通孔３０Ｈと略同径の略半円状であるが、矩形であってもよいし、第１の溝部３０ＴはＶ溝であってもよい。
【００２０】
固定部４０には、断面形状が貫通孔３０Ｈと略同径の略半円の第２の溝部４０Ｔがある。第２の溝部４０Ｔの断面形状は、矩形であってもよいし、第２の溝部４０ＴはＶ溝であってもよい。また、第１の溝部３０Ｔの断面形状と第２の溝部４０Ｔの断面形状とは異なっていてもよい。
【００２１】
そして、保持部材５０は、第１の溝部３０Ｔと第２の溝部４０Ｔとにより光ファイバ６０を挟持している。固定部４０と保持部３０とは対向面が第２の接着層３９を介して接着されている。ただし、第２の接着層３９は、光ファイバ６０を挟持している第１の溝部３０Ｔと第２の溝部４０Ｔとには配設されていない。このため、光ファイバ６０は、少なくとも第１の溝部３０Ｔの底面および第２の溝部４０Ｔの底面と接着剤等の他部材を介すること無く当接している。
【００２２】
光ファイバ６０の光軸Ｏは、貫通孔３０Ｈの壁面ではなく、第１の溝部３０Ｔの底面および第２の溝部４０Ｔの底面を基準として規定されている。光伝送モジュール１は、貫通孔３０Ｈの内径に関係なく、光ファイバ６０の位置を規定し光素子１０と光ファイバ６０との光軸ずれを防止しているため、光結合効率の高い光伝送を行う。
【００２３】
＜光伝送モジュール１の製造方法＞
次に光伝送モジュール１の製造方法について簡単に説明する。
【００２４】
最初に光素子１０が、発光部１１が配線板２０の孔２５Ｈと対向する位置に配置された状態で、フリップチップ実装される。
【００２５】
例えば、光素子１０の接続端子１２であるＡｕバンプが、配線板２０の電極パッド２１と超音波接合される。なお、接合部にはアンダーフィル材やサイドフィル材等の封止剤が注入されてもよい。配線板２０に、半田ペースト等を印刷し、光素子１０を所定位置に配置した後、リフロー等で半田を溶融して、光素子１０を配線板２０に実装してもよい。
【００２６】
保持部３０の側面３０ＳＡが、配線板２０の第２の主面２０ＳＢに第１の接着層２９を介して接着される。保持部３０の貫通孔３０Ｈに光ファイバ６０が挿入される。なお、貫通孔３０Ｈの内径は光ファイバ６０の外径よりも大きいため、この段階では、光ファイバ６０の光軸は上下左右に移動可能である。
【００２７】
そして、保持部３０に固定部４０が第２の接着層３９を介して接着される。このとき、光ファイバ６０は、第１の溝部３０Ｔと第２の溝部４０Ｔとにより押圧された状態、すなわち挟持された状態で固定される。
【００２８】
光伝送モジュール１は、上記製造方法により容易に製造することができる。
【００２９】
＜第２実施形態＞
次に第２実施形態の光伝送モジュール１Ａについて説明する。光伝送モジュール１Ａは、光伝送モジュール１と類似しているので、同じ構成要素には同じ符号を付し説明は省略する。
【００３０】
図４に示すように、光伝送モジュール１Ａの保持部材５０Ａでは、保持部３０Ａに第１の溝部３０ＡＴがあり、固定部４０Ａに第２の溝部４０ＡＴがある。そして、保持部材５０Ａは第１の溝部３０ＡＴと第２の溝部４０ＡＴとにより光ファイバ６０を挟持している。
【００３１】
保持部３０Ａの側面３０ＳＡは、第１の接着層２９Ａを介して配線板２０の第２の主面２０ＳＢと接着されている。また、保持部３０Ａと固定部４０Ａとは、光ファイバ６０を挟持していない対向面が第２の接着層３９Ａにより接
着されている。
【００３２】
保持部材５０Ａの保持部３０Ａには貫通孔がないが、光伝送モジュール１Ａは光伝送モジュール１と同じ効果を有する。
【００３３】
＜第３実施形態＞
次に第３実施形態の光伝送モジュール１Ｂについて説明する。光伝送モジュール１Ｂは、光伝送モジュール１等と類似しているので、同じ構成要素には同じ符号を付し説明は省略する。
【００３４】
図５に示すように、光伝送モジュール１Ｂの保持部材５０Ｂでは、保持部３０Ｂに第１の溝部３０ＢＴと、第１の溝部３０ＢＴと連通した貫通孔３０ＢＨ１、３０ＢＨ２とがある。
【００３５】
第１の溝部３０ＢＴは、保持部３０Ｂの貫通孔に達する凹部と見なすことができる。なお、図５に示した光伝送モジュール１Ｂでは、第１の溝部３０ＢＴの両側に貫通孔３０ＢＨ１、３０ＢＨ２があるが、片側だけに貫通孔があってもよい。この場合には、第１の溝部３０ＢＴは、保持部３０Ｂの貫通孔に達する切り欠き部と見なすことができる。
【００３６】
一方、固定部４０Ｂには、保持部３０Ｂの第１の溝部３０ＢＴに挿入された凸部４５がある。すなわち、凸部４５の幅および長さは、第１の溝部３０ＢＴの幅および長さよりも僅かに短い。
【００３７】
保持部３０Ｂの側面３０ＳＡは、第１の接着層２９Ｂを介して配線板２０の第２の主面２０ＳＢと接着されている。また、保持部３０Ｂと固定部４０Ｂとは、光ファイバ６０を挟持していない対向面が第２の接着層３９Ｂにより接着されている。
【００３８】
貫通孔３０ＢＨ１、３０ＢＨ２は、貫通孔３０Ｈと略同じ構成で、第１の溝部３０ＢＴは第１の溝部３０Ｔと略同じ構成である。また、固定部４０Ｂの凸部４５の先端面の断面形状は、光ファイバ６０の外面形状に対応して略半円である。しかし、固定部４０Ｂの凸部４５の先端面は、平面等であってもよい。
【００３９】
保持部３０Ｂの側面３０ＳＡは、第１の接着層２９Ｂを介して配線板２０の第２の主面２０ＳＢと接着されている。また、保持部３０Ｂと固定部４０Ｂとは、光ファイバ６０を挟持していない対向面が第２の接着層３９Ｂにより接着されている。
【００４０】
すなわち、保持部材５０Ｂは、保持部３０Ｂの第１の溝部３０ＢＴの底面と、固定部４０Ｂの凸部４５の先端面とにより、他部材を介さないで光ファイバ６０を挟持している。
【００４１】
光伝送モジュール１Ｂでは、光ファイバ６０の光軸Ｏの位置は、保持部３０Ｂの第１の溝部３０ＢＴと、固定部４０Ｂの４５凸部とにより規定されている。
【００４２】
このため、光伝送モジュール１Ｂは、光伝送モジュール１と同じ効果を有する。
【００４３】
＜第４実施形態＞
次に第４実施形態の光伝送モジュール１Ｃについて説明する。光伝送モジュール１Ｃは、光伝送モジュール１Ｂ等と類似しているので、同じ構成要素には同じ符号を付し説明は省略する。
【００４４】
図６に示すように、光伝送モジュール１Ｃの保持部材５０Ｃでは、保持部３０Ｃに第１の溝部３０ＣＴがあり、固定部４０Ａに凸部４５Ｄがある。そして、保持部材５０Ａは第１の溝部３０ＣＴの底面と凸部４５Ｄの先端面とにより光ファイバ６０を挟持している。
【００４５】
保持部３０Ｃの側面３０ＳＡは、第１の接着層２９Ｃを介して配線板２０の第２の主面２０ＳＢと接着されている。また、保持部３０Ｃと固定部４０Ｃとは、光ファイバ６０を挟持していない対向面が第２の接着層３９Ｃにより接着されている。
【００４６】
保持部材５０Ｃの保持部３０Ｃには貫通孔がないが、光伝送モジュール１Ｃは光伝送モジュール１Ｂと同じ効果を有する。
【００４７】
＜第５実施形態＞
次に第５実施形態の光伝送モジュール１Ｄについて説明する。光伝送モジュール１Ｄは、光伝送モジュール１等と類似しているので、同じ構成要素には同じ符号を付し説明は省略する。
【００４８】
図７および図８に示すように、光伝送モジュール１Ｄでは、光ファイバ６０は固定部４０Ｄの第２の溝部４０ＤＴの入口側の外面において接着剤６９により固定部４０Ｄに固定されている。
【００４９】
光伝送モジュール１Ｄの構成は、光伝送モジュール１と略同じである。例えば、光ファイバ６０は保持部３０Ｄの貫通孔３０ＤＴに挿入されている。保持部３０Ｄの側面３０ＳＡは、第１の接着層２９Ｄを介して配線板２０の第２の主面２０ＳＢと接着されている。また、保持部３０Ｄと固定部４０Ｄとは、光ファイバ６０を挟持していない対向面が第２の接着層３９Ｄにより接着されている。
【００５０】
ここで、光伝送モジュールでは、光ファイバ６０の先端面と光素子１０の光出射面１０ＳＡとの距離Ｌが、光素子１０と光ファイバ６０との光結合効率の向上のため極めて正確に管理されていることが好ましい。光伝送モジュール１Ｄは、光伝送モジュール１の効果を有し、さらに後述する製造方法により、距離Ｌが、極めて正確に配置されている。
【００５１】
＜製造方法＞
図９のフローチャートに沿って光伝送モジュール１Ｄの製造方法について説明する。
【００５２】
＜ステップＳ１１＞
最初に、第３の溝部７０Ｔと第３の溝部７０Ｔと連通した第３の貫通孔７０Ｈとがある保持治具７０が準備される。そして、保持治具７０の第３の貫通孔７０Ｈに、光ファイバ６０が挿通される。
【００５３】
＜ステップＳ１２＞
図１０Ａに示すように、固定部４０Ｄの第２の溝部４０ＤＴと保持治具７０の第３の溝部７０Ｔとにより光ファイバ６０が挟持され固定される。なお、保持治具７０は、すでに説明した保持部３０等と略同じであるが、固定部４０Ｄの側面と保持治具７０の側面とは、長さＬだけ異なった状態である。
【００５４】
＜ステップＳ１３＞
図１０Ｂに示すように、固定部４０Ｄの第２の溝部４０ＤＴの入口側の外面と、光ファイバ６０とが接着材（第２の接着層３９）により接着される。すなわち、光ファイバ６０が固定部４０Ｄに固定される。
【００５５】
＜ステップＳ１４＞
図１０Ｃに示すように、保持治具７０の第３の貫通孔７０Ｈから突出している光ファイバ６０の先端部が切断される。
【００５６】
＜ステップＳ１５＞
図１０Ｄに示すように、光ファイバ６０が接合された固定部４０Ｄから、保持治具７０が抜去される。
【００５７】
＜ステップＳ１６＞
別途、図１０Ｅに示す、光素子１０と配線板２０と保持部３０Ｄとを含む部材が作製される。光素子１０は、光出射面１０ＳＡに、光信号を出力する発光部１１と発光部１１と電気的に接続された接続端子１２とを有する。保持部３０Ｄは、第１の溝部３０ＤＴと第１の溝部３０ＤＴと連通した第１の貫通孔３０ＤＨとを有する。
【００５８】
すなわち、第１の主面２０ＳＡに光素子１０が実装され、発光部１１と対向する位置に孔のある配線板２０が、保持部３０Ｄの側面に第１の接着層２９Ｄを介して接着される。
【００５９】
＜ステップＳ１７＞
保持治具７０の替わりに、
保持部３０Ｄの第１の貫通孔３０ＤＨに、固定部４０Ｄに固定された光ファイバ６０が挿入される。光ファイバ６０の先端面と光素子１０の光出射面１０ＳＡとの距離は、固定部４０Ｄの側面と保持治具７０の側面との長さの相違量Ｌとなる。
【００６０】
図１０Ｅに示すように、固定部４０Ｄと保持部３０Ｄとが、光ファイバ６０を挟持していない対向面で第２の接着層３９Ｄを介して接着され、図８に示した光伝送モジュール１Ｄが製造される。
【００６１】
光伝送モジュール１Ｄの製造方法では、光ファイバ６０の先端面と光素子１０の光出射面１０ＳＡとの距離Ｌは、固定部４０Ｄの側面と保持治具７０の側面との長さにより所望の距離Ｌに精度高く管理できる。
【００６２】
なお、以上の説明においては、電気信号を光信号に変換し光信号を伝送するＥ／Ｏモジュールである光伝送モジュールについて説明した。しかし、光信号を電気信号に変換するＯ／Ｅモジュールでも実施形態等の光伝送モジュールと類似の構成とすることで、同様の効果を有することは明らかである。
【００６３】
本発明は、上述した実施形態および変形例等に限定されるものではなく、発明の趣旨を逸脱しない範囲内において種々の変更、組み合わせおよび応用が可能である。
【符号の説明】
【００６４】
１、１Ａ〜１Ｄ・・・光伝送モジュール
１０・・・光素子
２０・・・配線板
２９・・・接着層
３０・・・保持部
３９・・・接着層
４０・・・固定部
５０・・・保持部材
６０・・・光ファイバ
７０・・・保持治具
【図１】
2016004130.tif 000003
【図２】
2016004130.tif 000004
【図３】
2016004130.tif 000005
【図４】
2016004130.tif 000006
【図５】
2016004130.tif 000007
【図６】
2016004130.tif 000008
【図７】
2016004130.tif 000009
【図８】
2016004130.tif 000010
【図９】
2016004130.tif 000011
【図１０Ａ】
2016004130.tif 000012
【図１０Ｂ】
2016004130.tif 000013
【図１０Ｃ】
2016004130.tif 000014
【図１０Ｄ】
2016004130.tif 000015
【図１０Ｅ】
2016004130.tif 000016